(57)【要約】【課題】見掛けが悪くなく、半遮蔽膜が外れにくく、周辺視で複視が生じることのない、複視患者用片眼半遮蔽眼鏡を提供する。【解決手段】片方のみのレンズ３の裏側にレンズ３と同形状であってレンズ３とともにフレーム１に固定された半透明板４を備えた。半透明板４をポリプロピレン製、フレーム１をプラスチック製とし、レンズ３をレンズ２と同程度に着色した。レンズ３の鉛直方向の長さＨを水平方向の長さＬの８０％以上とした。【選択図】図１
2007117204.tif 000002
【特許請求の範囲】
【請求項１】
片方のみのレンズの裏側に前記レンズと同形状であって前記レンズとともにフレームに固定された半透明板を備えたことを特徴とする複視患者用片眼半遮蔽眼鏡。
【請求項２】
前記半透明板がポリプロピレン製であることを特徴とする請求項１記載の複視患者用片眼半遮蔽眼鏡。
【請求項３】
前記フレームがプラスチック製であることを特徴とする請求項１又は２記載の複視患者用片眼半遮蔽眼鏡。
【請求項４】
前記レンズが他方のレンズと同程度に着色されたことを特徴とする請求項１〜３のいずれか１項記載の複視患者用片眼半遮蔽眼鏡。
【請求項５】
前記レンズの鉛直方向の長さが水平方向の長さの８０％以上であることを特徴とする請求項１〜４のいずれか１項記載の複視患者用片眼半遮蔽眼鏡。
【発明の詳細な説明】
【技術分野】
【０００１】
本発明は、複視患者用片眼半遮蔽眼鏡に関する。
【背景技術】
【０００２】
従来、複視を矯正するために、眼鏡のレンズの裏側にシールの形態で塗布されてレンズを半遮蔽する遮蔽膜シールが知られている（Ryser Optik社（スイス）のtransparent OCCLUSION）。この遮蔽膜シールで眼球運動障害側のレンズを半遮蔽することにより、物が二重に見えるという複視の症状が改善されるというものである。この遮蔽膜シールの透過率は１０段階となっており、患者の好みに合わせて選択することができるようになっている。
【特許文献１】実開平５−４１５２２号公報
【発明の開示】
【発明が解決しようとする課題】
【０００３】
しかし、複視を除去するためにはかなり透過率を抑えなければならず、このため、遮蔽膜シールが貼られた側の眼に障害があることが明白となり、見掛けが非常に悪いことが大きな問題であった。
【０００４】
また、遮蔽シールはレンズに塗布するだけで固定されているので、すぐに外れやすいという問題があった。
【０００５】
さらに、患者本人が有するレンズフレームの面積が小さい場合は、広い範囲を覆うことができず、周辺視で複視が生じる欠点があった。
【０００６】
そこで、本発明は、見掛けが悪くなく、半遮蔽膜が外れにくく、周辺視で複視が生じることのない、複視患者用片眼半遮蔽眼鏡を提供することを課題とする。
【課題を解決するための手段】
【０００７】
本発明の請求項１記載の複視患者用片眼半遮蔽眼鏡は、片方のみのレンズの裏側に前記レンズと同形状であって前記レンズとともにフレームに固定された半透明板を備えたことを特徴とする。
【０００８】
本発明の請求項２記載の複視患者用片眼半遮蔽眼鏡は、請求項１において、前記半透明板がポリプロピレン製であることを特徴とする。
【０００９】
本発明の請求項３記載の複視患者用片眼半遮蔽眼鏡は、請求項１又は２において、前記フレームがプラスチック製であることを特徴とする。
【００１０】
本発明の請求項４記載の複視患者用片眼半遮蔽眼鏡は、請求項１〜３のいずれか１項において、前記レンズが他方のレンズと同程度に着色されたことを特徴とする。
【００１１】
本発明の請求項５記載の複視患者用片眼半遮蔽眼鏡は、請求項１〜４のいずれか１項において、前記レンズの鉛直方向の長さが水平方向の長さの８０％以上であることを特徴とする。
【発明の効果】
【００１２】
本発明の請求項１記載の複視患者用片眼半遮蔽眼鏡によれば、片方のみのレンズの裏側に前記レンズと同形状であって前記レンズとともにフレームに固定された半透明板を備えたことにより、半透明板がフレームから外れにくい。
【００１３】
本発明の請求項２記載の複視患者用片眼半遮蔽眼鏡によれば、前記半透明板がポリプロピレン製であることにより、ポリプロピレンは軽量のため、半透明板が眼鏡の重量バランスにほとんど影響を与えることない。また、ポリプロピレンは加工しやすいため、半透明板をフレームの形状に合わせて容易に加工でき、半透明板が一旦フレームに固定されると外れにくい。
【００１４】
本発明の請求項３記載の複視患者用片眼半遮蔽眼鏡によれば、前記フレームがプラスチック製であることにより、半透明板を固定するための加工が容易となる。
【００１５】
本発明の請求項４記載の複視患者用片眼半遮蔽眼鏡によれば、前記レンズが他方のレンズと同程度に着色されたことにより、片方のレンズに半透明板を備えていることが目立たず、見掛けが改善される。
【００１６】
本発明の請求項５記載の複視患者用片眼半遮蔽眼鏡によれば、前記レンズの鉛直方向の長さが水平方向の長さの８０％以上であることにより、広い範囲で眼の周辺が覆われ、周辺視で複視が生じることがない。
【発明を実施するための最良の形態】
【００１７】
以下、本発明の複視患者用片眼半遮蔽眼鏡の一実施例について、添付した図面を参照しながら説明する。
【実施例１】
【００１８】
本実施例の複視患者用片眼半遮蔽眼鏡を示す図１において、１はフレームであり、このフレーム１には２枚のレンズ２，３が固定されている。そして、片方のレンズ３の裏側には、レンズ３と同形状の半透明板４がレンズ３とともにフレーム１に固定されており、半透明板４がフレーム１から外れにくくなっている。なお、半透明板４は、少なくとも片側の表面に微細な凹凸が形成されることで半透明に形成されている。また、半透明板４は、障害を有する側の眼を半遮蔽するためにレンズ３にのみ設けられるものであり、レンズ２には設けられていない。
【００１９】
フレーム１はプラスチック製であり、半透明板４を固定する際の加工がしやすくなっている。半透明板４はポリプロピレン製であり、ポリプロピレンは軽量のため、ため、半透明板４が眼鏡の重量バランスにほとんど影響を与えることがない。また、ポリプロプレンは加工しやすいため、半透明板４をフレーム１の形状に合わせて容易に加工でき、半透明板４が一旦フレーム１に固定されると外れにくいようになっている。さらに、半透明板４がポリプロピレン製であることによって、ねじ穴などの加工も容易である。
【００２０】
レンズ２とレンズ３は、同程度に若干着色されており、レンズ３に半透明板４を備えていることが目立たないようになっている。また、必要に応じて、レンズ２には度を入れてもよい。さらに、半透明板４はレンズ３の裏側に固定されており、レンズ２とレンズ３の表側は同様の光沢を有するため、レンズ３に半透明板４を備えていることが目立たないようになっている。
【００２１】
レンズ２，３の鉛直方向の長さＨは、水平方向の長さＬの８０％以上となっており、広い範囲で眼の周辺が覆われるようになっている。
【００２２】
本実施例の複視患者用片眼半遮蔽眼鏡は、外側から患者方向の光の透過がよく、レンズ３の裏面の眼瞼、眼球の状態が外からよく観察され、特殊な眼鏡を掛けているという違和感が極めて少ない。一方で、患者側からは視野が広い範囲でよく遮断され、物が二重に見えるという複視の症状が解消する。
【００２３】
複視の根本的治療は眼筋手術であるが、複雑な眼球運動障害や全身疾患のある患者には行うことができない。また、手術には疼痛を伴うため手術自体を希望しない患者も多い。そうした患者への複視に対する対症療法として、眼球運動障害側の外観を損なわずに視野を遮蔽するために、本発明の複視患者用片眼半遮蔽眼鏡を用いることが極めて有効である。
【００２４】
以上のように、本実施例の複視患者用片眼半遮蔽眼鏡によれば、片方のみのレンズ３の裏側に前記レンズ３と同形状であって前記レンズ３とともにフレーム１に固定された半透明板４を備えたことにより、半透明板４がフレーム１から外れにくい。
【００２５】
また、前記半透明板４がポリプロピレン製であることにより、ポリプロピレンは軽量のため、半透明板４が眼鏡の重量バランスにほとんど影響を与えることない。また、ポリプロプレンは加工しやすいため、半透明板４をフレーム１の形状に合わせて容易に加工でき、半透明板４が一旦フレームに固定されると外れにくい。
【００２６】
また、前記フレーム１がプラスチック製であることにより、半透明板４を固定するための加工が容易となる。
【００２７】
また、前記レンズ３が他方のレンズ２と同程度に着色されたことにより、片方のレンズ３に半透明板４を備えていることが目立たず、見掛けが改善される。
【００２８】
さらに、前記レンズ３の鉛直方向の長さＨが水平方向の長さＬの８０％以上であることにより、広い範囲で眼の周辺が覆われ、周辺視で複視が生じることがない。
【００２９】
なお、本発明は上記実施形態に限定されるものではなく、本発明の思想を逸脱しない範囲で種々の変形実施が可能である。例えば、上記実施形態において半透明板がポリプロピレン製である場合を例にとって説明したが、これに限定されず、このほかの合成樹脂やガラスにより半透明板を構成してもよい。また、フレームはプラスチック製でなくてもよく、金属から形成してもよい。
【実施例２】
【００３０】
実際の症例で本発明の複視患者用片眼半遮蔽眼鏡の効果を確認した。本症例では下方視において複視が強く、歩行中に転倒など多大の障害を来たしていた。高齢で種々の疾患があり、手術適応はなかった。本発明の複視患者用片眼半遮蔽眼鏡を掛けることによって歩行中に下方視をしても複視を自覚せず、また、美容的にも他人から見て違和感がなかった。
【図面の簡単な説明】
【００３１】
【図１】本発明の複視患者用片眼半遮蔽眼鏡の一実施例を示す正面図である。
【符号の説明】
【００３２】
１  フレーム
２  レンズ
３  レンズ
４  半透明板
Ｈ  鉛直方向の長さ
Ｌ  水平方向の長さ
【図１】
2007117204.tif 000003